(57)【要約】【課題】ポンプケーシング内のエア抜きが簡単である風呂水用汲み上げポンプを提供する。【解決手段】インペラを収納するポンプ室１２のケーシング外周壁に、径方向外方へ貫通するエア抜き孔１８が形成され、上記エア抜き孔の外側開口を覆い、該エア抜き孔から流出する水の方向を変換して案内する案内手段１９を備えている。【選択図】図１
2004100457.tif 000002
【特許請求の範囲】
【請求項１】
インペラを収納するポンプ室（１２）のケーシングにエア抜き孔（１８）が形成されたことを特徴とする風呂水用汲み上げポンプ。
【請求項２】
インペラを収納するポンプ室（１２）のケーシング外周壁に、径方向外方へ貫通するエア抜き孔（１８）が形成されたことを特徴とする風呂水用汲み上げポンプ。
【請求項３】
インペラを収納するポンプ室（１２）のケーシング外周壁に、径方向外方へ貫通するエア抜き孔（１８）が形成され、
上記エア抜き孔の外側開口を覆い、該エア抜き孔から流出する水の方向を変換して案内する案内手段（１９）を備えたことを特徴とする風呂水用汲み上げポンプ。
【発明の詳細な説明】
【０００１】
【発明の属する技術分野】
本発明は、風呂水用汲み上げポンプに係り、特に、ポンプケーシング内のエア溜りによるエアロックの防止構造に関する。
【０００２】
【従来の技術】
浴槽内の余り水を洗濯機へ汲み上げるために、家庭用として電動ポンプが用いられることはよく知られている。このポンプは、一種の水中ポンプであり、吐出口に接続したホースを目的の洗濯機まで延ばし、ポンプを運転することによって浴槽内の水を汲み上げて洗濯機へ給水するものである。
【０００３】
ところで、このポンプを運転するとき、前回の運転でホース内に水が残っていると、その残水とポンプケーシングとの間でエアが封入されてしまい、所謂エアロックが生じて水を汲み上げることができなくなる。
【０００４】
また、ポンプケーシング内にエアが封入された状態になると、ポンプを浴槽の水中内に入れてもポンプ自体が水中に沈まず、浮いてしまって運転すらできない場合もあった。
【０００５】
従来では、ポンプ自体に錘を取り付けるこで、ポンプケーシング内にエアが入っていても自重で沈むようにしたものがある。しかしながら、家庭用製品としては重量が大きくなって取り扱い性の点で不利であった。また、使用者側での取り扱い方法による解決として、使用者が浴槽内でポンプ自体を横に向けたり天地を逆にしたりと種々にポンプの姿勢を変えることでポンプケーシング内の空気を抜いている場合もある。
【０００６】
なお、本件出願人は、この出願の発明に関連する先行技術文献の存在を知らない。したがって、記載すべき先行技術文献情報はない。
【０００７】
【発明が解決しようとする課題】
本発明は、従来の風呂水用汲み上げポンプにおける上述のような問題点を解決するために創案されたものである。したがってその目的は、ポンプケーシング内のエア抜きが簡単である風呂水用汲み上げポンプを提供することにある。
【０００８】
【課題を解決するための手段】
本発明に係る風呂水用汲み上げポンプは、上述のような課題を解決し、もって目的を達成するために以下のような構成を備えている。すなわち、インペラを収納するポンプ室のケーシングにエア抜き孔が形成されている。このエア抜き孔は、ポンプ室のケーシング外周壁に形成されて、径方向外方へ貫通しているのが好ましい。さらには、エア抜き孔の外側開口を覆い、該エア抜き孔から流出する水の方向を変換して案内する案内手段を備えているのが好ましい。
【０００９】
【発明の実施の形態】
以下、本発明に係る風呂水用汲み上げポンプの実施形態について、添付図面を参照して説明する。図１は、本発明に係る風呂水用汲み上げポンプの一実施形態を示す断面図である。図中１０はインペラであり、モータ１１に駆動されてポンプ室１２内で回転する。１３はポンプ室１２内に連通している吐出管である。吐出管１３の上端はホース接続口にされている。ポンプ室１２の底部には、インペラ１０の中心に向かって吸入口１４が開口されている。これらの構成を備えたポンプ本体１５の下部には、ポンプ本体１５と一体的な形状となるようにストレーナ１６が組み付けられる。ポンプ本体１５の下部は雄ネジにされており、ストレーナ１６の上端は雌ネジにされている。ストレーナ１６は、ポンプ室１２の吸入口１４を覆って設けられるかたちになり、底面が格子状に開口されて水の流入を許容しつつ、髪の毛等の異物やゴミがポンプ室１２内に流入するのを防止する。ストレーナ１６のハウジング内には、吸入口１４を覆ってフィルタ１７が保持されている。このフィルタ１７も、細かい異物やゴミがポンプ室１２内に流入するのを防止する。
【００１０】
ポンプ室１２を形成するケーシングは図に示すように複数の部材で構成されているが、ポンプ室１２自体の形状は、インペラ１０の回転によって遠心力を受けた水が吐出管１３内へ流入するように円錐面で径方向外方上方へ案内される形状にされている。ポンプ室１２の上端に近い最外周部を構成するケーシングの部分には、径方向外方へ壁体を貫通してエア抜き孔１８が形成されている。図示の例では、円錐面による斜面を越えた位置で径方向へ１８０度反対側の向きにエア抜き孔１８が２ヶ所形成されている。このように構成することで、運転時にポンプ室１２内に空気が入っていても、インペラ１０の回転によって遠心力を受けた水の一部がその空気と共にエア抜き孔１８からポンプ室外へ流出してエア抜きができる。エア抜き孔１８の数は必要に応じて増減してよい。
【００１１】
エア抜き孔１８がケーシングの外で開口している箇所には、エア抜き孔１８から径方向外方へ流出してくる水を下方へ案内するように、その開口を覆うかたちで案内部１９が設けられている。案内部１９は、ストレーナ１６のハウジングと一体的に形成されており、横断面形状が略「コ」字状を呈してストレーナ１６のハウジングとの間に下方へ延びて下端で開口している案内流路２０を形成する。案内部１９は、ストレーナ１６がポンプ本体１５に組み付けられた状態でポンプ本体１５の外周面との間に僅かな隙間を形成しており、エア抜き孔１８から流出したエアはこの隙間から案内流路２０の外へ出ることも可能である。勿論、エア抜き孔１８から流出する水と共に案内流路２０内を流れて下端開口から案内流路２０の外へ出ることも可能である。
【００１２】
案内部１９は、ストレーナ１６のハウジングをポンプ本体１５にネジ結合させるときに、ネジを締め込んだ最終位置でエア抜き孔１８の開口を確実に覆うように、ストレーナハウジングの周方向に比較的幅広の寸法にわたって形成されている。
【００１３】
エア抜き孔１８と案内部１９とによる圧力損失（すなわち、この部分を通過してポンプ室外へ流出する水に対する流動抵抗）が十分に大きくなるように設計することで、エア抜き孔１８からの水漏れを伴わせながら吐出管１３から目的の給水を行うことが可能になる。すなわち、積極的に水漏れを伴わせながら給水を行うことで、ポンプ室内のエア抜きを行う。したがって、エア抜き孔１８の位置が円錐面の斜面上で低い位置にあったり、過大に大きな孔であったりすると、そこからの水漏れ量が多すぎて本来の目的である給水が行えなくなる。エア抜き孔１８の位置、大きさ、そして案内部１９による圧力損失の大きさを適切に組み合わせることによって、ポンプ室内のエア抜きを行いながら目的の給水も可能にする。勿論、エア抜き孔１８の位置および大きさが適切であれば、案内部を設けなくともエア抜きと給水の目的は達成される。
【００１４】
【発明の効果】
このように構成された風呂水用汲み上げポンプは、浴槽の水中内に沈めて普通に運転するだけでポンプ室内のエア抜きが行える。
【図面の簡単な説明】
【図１】本発明に係る風呂水用汲み上げポンプの一実施形態を示す断面図である。
【符号の説明】
１０　インペラ
１１　モータ
１２　ポンプ室
１３　吐出管
１４　吸入口
１５　ポンプ本体
１６　ストレーナ
１７　フィルタ
１８　エア抜き孔
１９　案内部
２０　案内流路
【図１】
2004100457.tif 000003